【手続補正書】
【提出日】平成17年6月1日(2005.6.1)
【手続補正１】
【補正対象書類名】特許請求の範囲
【補正対象項目名】全文
【補正方法】変更
【補正の内容】
【特許請求の範囲】
【請求項１】
ビジュアルコンテンツを使用者の色覚特性に適するように適応変換させる方法であって、
前記使用者の色覚特性に対する情報の入力を受けるステップと、
前記色覚特性情報により前記ビジュアルコンテンツに適応変換を行うステップとを具備し、
前記色覚特性情報は色覚障害タイプと色覚障害程度に対する記述を含むことを特徴とする適応変換方法。
【請求項２】
前記使用者の環境についての情報の入力を受けるステップをさらに具備し、
前記ビジュアルコンテンツの適応変換ステップは、前記色覚特性情報と前記使用者環境情報により行われることを特徴とする、請求項１記載の適応変換方法。
【請求項３】
前記使用者環境は、前記使用者の周囲明るさで記述されることを特徴とする、請求項２記載の適応変換方法。
【請求項４】
前記色覚障害程度は数値的または叙述的に記述され、数値的に記述される場合、正規化された数値で記載されることを特徴とする、請求項１記載の適応変換方法。
【請求項５】
前記適応変換ステップは、前記色覚障害程度により色弱者と色盲者とを区別し、差別的にアプローチすることを特徴とする、請求項１記載の適応変換方法。
【請求項６】
前記色盲適応変換は、
前記色覚障害タイプにより前記ビジュアルコンテンツにおいて前記使用者が検出し難い障害領域を区別する過程と、
前記障害領域に該当するピクセルの色度、彩度、明度の中、少なくとも一つを調整する過程により行われることを特徴とする、請求項５記載の適応変換方法。
【請求項７】
前記障害領域区別過程は、前記ビジュアルコンテンツをＲＧＢ色空間からＣＭＹＫ色空間に変換し、前記色覚障害タイプによりシアン（青録）、マゼンタ（紫紅）、黄色の値を用いて、前記ＣＭＹＫ色空間で障害領域に該当するピクセルを識別することにより行われることを特徴とする、請求項６記載の適応変換方法。
【請求項８】
前記障害領域区別過程は、
前記ビジュアルコンテンツをＲＧＢ色空間からＬＭＳ色空間に変換し、前記色覚障害タイプと色覚障害程度により決定される前記使用者のＬＭＳ反応関数にさらに変換する過程でＬＭＳ各値の減少程度を測定することによって行われることを特徴とする、請求項６記載の適応変換方法。
【請求項９】
前記障害領域に該当するピクセルの色度および彩度を変換させることを特徴とする、請求項６記載の適応変換方法。
【請求項１０】
前記色弱適応変換は、
前記ビジュアルコンテンツをＲＧＢ色空間からＬＭＳ色空間に変換する過程と、
前記色覚障害タイプと色覚障害程度により決定された前記使用者のＬＭＳ反応関数およびその逆関数を用いて、前記ＬＭＳ色空間のビジュアルコンテンツを変換する過程と、
前記変換されたＬＭＳ色空間のビジュアルコンテンツをＲＧＢ色空間にさらに変換する過程とを含むことを特徴とする、請求項５記載の適応変換方法。
【請求項１１】
映像表示装置の使用者の色覚特性に適するようにビジュアルコンテンツを適応変換させる方法であって、
前記使用者の色覚特性に対する情報についての情報の入力を受けるステップと、
ビジュアルコンテンツの入力を受けるステップと、
前記色覚特性情報により前記ビジュアルコンテンツに適応変換を行うステップと、
前記変換されたビジュアルコンテンツを前記映像表示装置を介してディスプレーするステップとを
具備することを特徴とする適応変換方法。
【請求項１２】
前記色覚特性情報は、前記使用者の色覚障害タイプと色覚障害程度に対する記述を含むことを特徴とする、請求項１１記載の適応変換方法。
【請求項１３】
前記色覚障害程度は数値的または叙述的に記述され、数値的に記述される場合、正規化された数値で記載されることを特徴とする、請求項１２記載の適応変換方法。
【請求項１４】
前記色覚障害程度の数値的記述は、前記使用者の円錐細胞の反応関数の移動現象や反応値強度の減少現象を考慮して決定されることを特徴とする、請求項１２記載の適応変換方法。
【請求項１５】
前記色覚障害程度の数値的記述は、前記使用者に対するファルンスワース・マンセル( Farnsworth-Munsell)色度検査の結果として出てきた総合エラー点数(total error score)を用いて決定されることを特徴とする、請求項１２記載の適応変換方法。
【請求項１６】
前記色覚障害程度の数値的記述は、前記使用者に対するアノマロスコープ(anomaloscope)検査の後に、前記使用者がテスト・フィールドと同一であると認知するミックスチャー・フィールド(mixture field)の赤緑色の割合区間の広さを用いて決定されることを特徴とする、請求項１２記載の適応変換方法。
【請求項１７】
前記色覚障害程度の数値的記述は次の式
【数１】
2005524154.tif 000001
(ここで、αは色弱者の円錐細胞移動値、αmaxは円錐細胞の移動可能最大限界数値、βは色弱者の円錐細胞減少値、βmaxは円錐細胞の減少最大限界数値、ωzは円錐細胞移動値に対する加重値、ωIは円錐細胞減少値に対する加重値、ωzmaxはωzの最大値、ωImaxはωIの最大値である)
により決められることを特徴とする、請求項１４記載の適応変換方法。
【請求項１８】
前記色覚障害程度の数値的記述は次の式
【数２】
2005524154.tif 000002
(ここで、Eは色覚異常者の総合エラー点数(total error score)、Eminは色弱があると判断する最小限界数値、Emaxは色盲があると判断する最小限界数値である）により決められることを特徴とする、請求項１２記載の適応変換方法。
【請求項１９】
前記色覚障害程度の数値的記述は、次の式
【数３】
2005524154.tif 000003
(ここで、Rdは、使用者がテスト・フィールドと同一であると認知するミックスチャー・フィールドの赤緑色の割合区間範囲(すなわち、Rdは使用者が調節した赤/緑色割合区間範囲の最小値Rminと最大値Rmax間の距離)、RnormalminとRnormalmaxは正常人の赤緑色割合区間範囲、Rthは色盲障害があると判断するRdの最小限界分である)により決められることを特徴とする、請求項１２記載の適応変換方法。
【請求項２０】
前記色覚特性情報は、前記使用者に対する識別情報をさらに含むことを特徴とする、請求項１１記載の適応変換方法。
【請求項２１】
前記使用者の環境に対する情報の入力を受けるステップをさらに含み、
前記ビジュアルコンテンツは前記色覚特性情報および環境情報により変換されることを特徴とする、請求項１１記載の適応変換方法。
【請求項２２】
前記使用者環境情報は、使用者周囲の明るさに対する記述を含むことを特徴とする、請求項２１記載の適応変換方法。
【請求項２３】
映像表示装置の使用者の色覚特性に適するようにビジュアルコンテンツを適応変換させるシステムであって、
前記使用者の色覚特性に対する情報の入力を受ける手段と、
ビジュアルコンテンツの入力を受ける手段と、
前記色覚特性情報により前記入力を受けたビジュアルコンテンツを適応変換させるプロセス部とを含むことを特徴とする、適応変換システム。
【請求項２４】
前記色覚特性情報を保存し、前記プロセス部に前記色覚特性情報を提供する標準化されたＸＭＬ文書として提供する手段をさらに含むことを特徴とする、請求項２３記載の適応変換システム。
【請求項２５】
前記色覚特性情報は、前記使用者の色覚障害タイプと色覚障害程度に対する情報を含み、前記色覚障害程度は数値的または叙述的に記述され、数値的に記述される場合、正規化された数値で記載されることを特徴とする、請求項２３記載の適応変換システム。
【請求項２６】
前記色覚障害程度の数値的記述は、次の式
【数４】
2005524154.tif 000004
(ここで、αは色弱者の円錐細胞移動値、αmaxは円錐細胞の移動可能最大限界数値、βは色弱者の円錐細胞減少値、βmaxは円錐細胞の減少最大限界数値、ωzは円錐細胞移動値に対する加重値、ωIは円錐細胞減少値に対する加重値、ωzmaxはωzの最大値、ωImaxはωIの最大値である)
により決められることを特徴とする、請求項２５記載の適応変換システム。
【請求項２７】
前記色覚障害程度の数値的記述は、次の式
【数５】
2005524154.tif 000005
(ここで、Eは色覚異常者の総合エラー点数(total error score)、Eminは色弱があると判断する最小限界数値、Emaxは色盲があると判断する最小限界数値である)により決められることを特徴とする、請求項２５記載の適応変換システム。
【請求項２８】
前記色覚障害程度の数値的記述は、次の式
【数６】
2005524154.tif 000006
(ここで、Rdは使用者がテスト・フィールドと同一だと認知するミックスチャー・フィールドの赤緑色割合区間範囲、RnormalminとRnormalmaxは正常人の赤緑色割合区間範囲、Rthは色盲障害があると判断するRdの最小限界分である)により決められることを特徴とする、請求項２５記載の適応変換システム。
【請求項２９】
前記色覚障害程度に対する情報から前記使用者が色盲障害者であると判明されれば前記色覚障害タイプにより前記入力されたビジュアルコンテンツに対して色盲適応変換を行い、前記使用者が色弱障害者であると判明されれば前記入力された色覚障害タイプにより前記入力されたビジュアルコンテンツに対して色弱適応変換を行うことを特徴とする、請求項２５記載の適応変換システム。
【請求項３０】
前記色盲適応変換は、前記色覚障害タイプにより前記ビジュアルコンテンツで前記使用者が検出し難い障害領域を区別し、前記障害領域に該当するピクセルの色度、彩度、明度の中、少なくとも一つを変換させることによって行われることを特徴とする、請求項２９記載の適応変換システム。
【請求項３１】
前記障害領域区別は、前記ビジュアルコンテンツをＲＣＢ色空間からＣＭＹＫ色空間に変換し、前記色覚障害タイプにより前記ＣＭＹＫ色空間の所定領域に該当するピクセルを識別することにより行われることを特徴とする、請求項３０記載の適応変換システム。
【請求項３２】
前記障害領域区別は、前記ビジュアルコンテンツをＲＣＢ色空間からＬＭＳ色空間に変換し、前記色覚障害タイプと色覚障害程度により決定される前記使用者のＬＭＳ反応関数にさらに変換する過程においてＬＭＳ各値の減少程度を測定することによって行われることを特徴とする、請求項３０記載の適応変換システム。
【請求項３３】
前記色盲適応変換は、前記ビジュアルコンテンツのＣＭＹ割合を用いて、前記使用者の色覚障害領域と色覚障害程度を同時に決定することによって行われることを特徴とする、請求項２９記載の適応変換システム。
【請求項３４】
前記色弱適応変換は前記ビジュアルコンテンツをＲＧＢ色空間からＬＭＳ色空間に変換し、前記色覚障害タイプと色覚障害程度により決定される前記使用者のＬＭＳ反応関数の逆関数を用い、前記ＬＭＳ色空間のビジュアルコンテンツを変換し、前記変換されたＬＭＳ色空間のビジュアルコンテンツをＲＧＢ色空間にさらに変換することによって行われることを特徴とする、請求項２５記載の適応変換システム。
【手続補正２】
【補正対象書類名】明細書
【補正対象項目名】００４７
【補正方法】変更
【補正の内容】
【００４７】
【数６】
2005524154.tif 000007
ここで、Eは総合エラー点数を表す。総合エラー点数がEminより小さい場合には色覚障害のない正常人であると判断し、Emaxより大きい場合には、色盲障害があると判断する。
【手続補正３】
【補正対象書類名】明細書
【補正対象項目名】００４８
【補正方法】変更
【補正の内容】
【００４８】
総合エラー点数がEminより大きくてEmaxより小さい場合には、色弱障害と判断する。色弱障害の場合、色覚障害程度の数値Nは色弱障害として判断する総合エラー点数の範囲で占める被検査者の総合エラー点数の割合で決定する。この場合に、色弱障害程度の数値であるNは0.1から0.9までの値を有する。この数値は少数点二桁を四捨五入した値である。そして、色盲障害の場合、色覚障害程度の数値Nは常に1.0になる。図4はFM色度検査の結果を用いて、色覚障害程度を数値化する方法の一例を示す図面である。
【手続補正４】
【補正対象書類名】明細書
【補正対象項目名】００５０
【補正方法】変更
【補正の内容】
【００５０】
【数７】
2005524154.tif 000008
数7において、Rdは被検査者がテスト・フィールドと同一であると認知するミックスチャー・フィールドの赤緑色の割合区間の範囲を表す。すなわち、Rdは赤緑色の割合区間の範囲の最小値Rminと最大値Rmax間の距離を表す。Rd値が大きいほど色覚障害の程度が重いことを意味する。正常人の場合、赤緑色の割合区間の範囲はRnormalminで最小値を有し、Rnormalmaxにおいて最大値を有する。すなわち、正常人のRd値は(Rnormalmax- Rnormalmin)値となる。使用者がアノマロスコープ検査を行った結果、使用者の距離値Rdが限界値Rthより小さい場合には色弱障害があると判断し、大きい場合には色盲障害があると判断する。
【手続補正５】
【補正対象書類名】明細書
【補正対象項目名】００５１
【補正方法】変更
【補正の内容】
【００５１】
色覚異常の種類によって、限界値であるRthが変わってくる。緑色覚異常の場合には限界値RthがRnormalmin値になり、赤色覚異常の場合には(73 - Rnormalmax)になる。この数値を用いて、色弱障害の場合に色覚障害程度の数値Nは色弱障害と判断する赤/緑色の割合範囲の最大距離であるRthと被検査者の赤緑色の割合範囲の距離であるRd間の割合で決定する。この場合に、色弱障害程度の数値であるNは0.1から0.9までの値を有する。この数値は少数点二桁まで四捨五入した値である。そして、色盲障害の場合には色覚障害程度の数値Nは常に1.0になる。図5はアノマロスコープ検査の結果を用いて、色覚障害程度を数値化する方法の一例を示す図面である。次の表2は図3に示すような構造を有する色覚特性記述子がXML文書で作成された例である。
【手続補正６】
【補正対象書類名】明細書
【補正対象項目名】００５４
【補正方法】変更
【補正の内容】
【００５４】
図6は図2に示す適応変換ステップ(206)の詳細フローチャートである。図6に示すように、前述したような色覚特性記述子から使用者の色覚障害程度を判定する(402)。判定の結果、色弱障害者と判定されれば、色弱障害者のための適応変換過程を行い(404)、色盲障害者と判定されれば、色盲障害者のための別途の適応変換過程を行う(406)。図3において色覚障害程度記述子(316)の叙述的記述(317)が"Severe(色盲)"であったり、数値的記述(318)が1.0であれば、使用者が色覚障害の中でも色盲障害であるため、色盲障害者のための適応変換過程を行う。その反面、色覚障害程度記述子(316)の叙述的記述(317)が"Mild(色弱)であったり、数値的記述(318)が0 〜 0.9であれば、使用者が色覚障害の中でも色弱障害であるため、色弱障害者のための適応変換過程を行う。